【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
異なる時間に被検眼の眼底を撮像して得た複数の眼底画像と、前記複数の眼底画像よりも少ない数であり且つ前記複数の眼底画像とは異なる時間に前記被検眼の眼底を撮像して得た少なくとも１つの眼底画像とを取得する眼底画像取得手段と、
前記複数の眼底画像を平均化して新たな眼底画像を生成する生成手段と、
前記眼底において測定光を走査する走査手段と、
前記生成された新たな眼底画像と前記少なくとも１つの眼底画像とを用いて、前記測定光が照射された前記眼底における前記眼底の断層画像の取得位置が補正されるように、前記走査手段を制御する制御手段と、
を有することを特徴とする眼科装置。
【請求項２】
前記眼底画像取得手段が、前記複数の眼底画像及び前記少なくとも１つの眼底画像を６０Ｈｚ以上のフレームレートで取得することを特徴とする請求項１に記載の眼科装置。
【請求項３】
前記複数の眼底画像は、２０フレーム以上であることを特徴とする請求項１または２に記載の眼科装置。
【請求項４】
前記生成された新たな眼底画像と前記少なくとも１つの眼底画像とのうちいずれか一方において特徴領域を抽出する抽出手段を更に有し、
前記制御手段は、前記生成された新たな眼底画像と前記少なくとも１つの眼底画像とのうち他方と前記抽出された特徴領域とを用いて、前記断層画像の取得位置が補正されるように、前記走査手段を制御することを特徴とする請求項１乃至３のいずれか１項に記載の眼科装置。
【請求項５】
前記走査手段を介して前記測定光が照射された前記眼底からの戻り光と前記測定光に対応する参照光とを合波して得た合波光を分割して得た互いに異なる偏光成分を持つ複数の光を用いて、前記眼底の偏光断層画像を前記断層画像として取得する断層画像取得手段を更に有することを特徴とする請求項１乃至４のいずれか１項に記載の眼科装置。
【請求項６】
被検眼の眼底において測定光を走査する走査手段と、
異なる時間で撮像された前記眼底の複数の偏光断層画像を、前記測定光が照射された前記眼底からの戻り光と前記測定光に対応する参照光とを合波して得た合波光を分割して得た互いに異なる偏光成分の複数の光を用いて取得する断層画像取得手段と、
６０Ｈｚ以上のフレームレートで前記被検眼の複数の眼底画像を取得する眼底画像取得手段と、
前記複数の眼底画像を用いて、前記測定光が照射された前記眼底における前記眼底の偏光断層画像の位置を補正するように、前記走査手段を制御する制御手段と、
を有することを特徴とする眼科装置。
【請求項７】
前記断層画像取得手段は、前記眼底の同一位置において走査されるように制御された前記測定光を用いて、前記眼底の複数の偏光断層画像を取得することを特徴とする請求項５または６に記載の眼科装置。
【請求項８】
前記眼底画像取得手段は、光が照射された前記眼底からの戻り光を分割して得た互いに異なる偏光成分を持つ複数の光を用いて、前記被検眼の眼底輝度画像を前記眼底画像として取得することを特徴とする請求項１乃至７のいずれか１項に記載の眼科装置。
【請求項９】
異なる時間に被検眼の眼底を撮像して得た複数の眼底画像と、前記複数の眼底画像よりも少ない数であり且つ前記複数の眼底画像とは異なる時間に前記被検眼の眼底を撮像して得た少なくとも１つの眼底画像とを取得する工程と、
前記複数の眼底画像を平均化して新たな眼底画像を生成する工程と、
前記生成された新たな眼底画像と前記少なくとも１つの眼底画像とを用いて、測定光が照射された前記眼底において前記眼底の断層画像の取得位置が補正されるように、前記眼底において前記測定光を走査する走査手段を制御する工程と、
を有することを特徴とする眼科方法。
【請求項１０】
異なる時間で撮像された被検眼の眼底の複数の偏光断層画像を、測定光が照射された前記眼底からの戻り光と前記測定光に対応する参照光とを合波して得た合波光を分割して得た互いに異なる偏光成分の複数の光を用いて取得する工程と、
６０Ｈｚ以上のフレームレートで前記被検眼の複数の眼底画像を取得する工程と、
前記複数の眼底画像を用いて、前記測定光が照射された前記眼底における前記眼底の偏光断層画像の取得位置を補正するように、前記眼底において前記測定光を走査する走査手段を制御する工程と、
を有することを特徴とする眼科方法。
【請求項１１】
請求項９または１０に記載の眼科方法の各工程をコンピュータに実行させることを特徴とするプログラム。
【請求項１２】
複数の被検眼画像を処理する画像処理装置であって、
複数の被検眼画像が撮像されるときの被検眼の動きを検出する動作検出手段と、
連続して撮像された複数の被検眼画像を含む画像セットを取得する取得手段と、
画像処理のテンプレートに用いられる基準画像を、前記取得された画像セットに含まれる複数の被検眼画像を複合することで生成する基準画像生成手段と、
を有することを特徴とする画像処理装置。
【請求項１３】
前記複数の被検眼画像の位置あわせを行う位置あわせ手段と、
前記基準画像生成手段によって複合される領域を、前記複数の被検眼画像の位置あわせがされた前記画像セットに対して設定する領域設定手段と、
を更に有することを特徴とする請求項１２に記載の画像処理装置。
【請求項１４】
複数の被検眼画像を処理する画像処理方法であって、
複数の被検眼画像が撮像されるときの被検眼の動きを検出する工程と、
連続して撮像された複数の被検眼画像を含む画像セットを取得する工程と、
画像処理のテンプレートに用いられる基準画像を、前記取得された画像セットに含まれる複数の被検眼画像を複合することで生成する工程と、
を有することを特徴とする画像処理方法。
【請求項１５】
前記複数の被検眼画像の位置あわせを行う工程と、
前記生成する工程において複合される領域を、前記複数の被検眼画像の位置あわせがされた前記画像セットに対して設定する工程と、
を更に有することを特徴とする請求項１４に記載の画像処理方法。
【請求項１６】
複数の被検眼画像を処理する画像処理プログラムであって、
画像処理装置のプロセッサで実行されることにより、複数の被検眼画像が撮像されるときの被検眼の動きを検出する工程と、
連続して撮像された複数の被検眼画像を含む画像セットを取得する工程と、
画像処理のテンプレートに用いられる基準画像を、前記取得された画像セットに含まれる複数の被検眼画像を複合することで生成する工程と、が前記画像処理装置によって実行されることを特徴とする画像処理プログラム。
【手続補正２】
【補正対象書類名】明細書
【補正対象項目名】０００８
【補正方法】変更
【補正の内容】
【０００８】
本発明に係る眼科装置の一つは、
異なる時間に被検眼の眼底を撮像して得た複数の眼底画像と、前記複数の眼底画像よりも少ない数であり且つ前記複数の眼底画像とは異なる時間に前記被検眼の眼底を撮像して得た少なくとも１つの眼底画像とを取得する眼底画像取得手段と、
前記複数の眼底画像を平均化して新たな眼底画像を生成する生成手段と、
前記眼底において測定光を走査する走査手段と、
前記生成された新たな眼底画像と前記少なくとも１つの眼底画像とを用いて、前記測定光が照射された前記眼底における前記眼底の断層画像の取得位置が補正されるように、前記走査手段を制御する制御手段と、を有する。
また、本発明に係る眼科方法の一つは、
異なる時間に被検眼の眼底を撮像して得た複数の眼底画像と、前記複数の眼底画像よりも少ない数であり且つ前記複数の眼底画像とは異なる時間に前記被検眼の眼底を撮像して得た少なくとも１つの眼底画像とを取得する工程と、
前記複数の眼底画像を平均化して新たな眼底画像を生成する工程と、
前記生成された新たな眼底画像と前記少なくとも１つの眼底画像とを用いて、測定光が照射された前記眼底において前記眼底の断層画像の取得位置が補正されるように、前記眼底において前記測定光を走査する走査手段を制御する工程と、を有する。